(57)【要約】【課題】  占有領域を小さくすることによって所望の位置でアース接続することができる電子機器のアース構造を提供する。【解決手段】  電子機器１０は、フレーム１５、回路基板１６及びバネ６０等を備える。フレーム１５は導電性を有し、回路基板１６の近傍に配置される。回路基板１６は、取付孔４１〜４４及びランド５１等を備える。ランド５１は、導電性を有し、取付孔４１〜４４の周囲に設けられる。バネ６０は、導電性を有し、コイル部６１、第１の端部６２及び第２の端部６３等を備える。コイル部６１は、中心軸が回路基板１６の法線と直交する方向に取付孔４１〜４４に挿入される。第１の端部６２はランド５１に当接され、第２の端部６３はフレーム１５に圧接される。【選択図】  図７
2006269083.tif 000002
【特許請求の範囲】
【請求項１】
取付孔及び前記取付孔の周囲に設けられた導電性を有する薄膜を備えた回路基板と、
前記回路基板の近傍に配置される導電性部材と、
中心軸が前記回路基板の法線と直交する方向に前記取付孔に挿入されるコイル部、前記薄膜に当接される第１の端部及び前記導電性部材に圧接される第２の端部を備えた導電性を有する線材と、を備えることを特徴とする電子機器のアース構造。
【請求項２】
前記線材はさらに弾性を有し、
前記コイル部の外径は、前記取付孔の寸法より大きいことを特徴とする請求項１に記載の電子機器のアース構造。
【請求項３】
前記線材は、前記コイル部と前記第２の端部との間に折り曲げ部を有することを特徴とする請求項１または２に記載の電子機器のアース構造。
【発明の詳細な説明】
【技術分野】
【０００１】
この発明は、携帯型ＭＤプレーヤや携帯型ハードディスクプレーヤ等の電子機器に備えられた回路基板をアース接続するための電子機器のアース構造に関する。
【背景技術】
【０００２】
図１は、従来のアース構造が適用された電子機器の構成の一部を示す分解斜視図である。従来の携帯型ＭＤプレーヤやハードディスク等の電子機器１は、上キャビネット２（図２参照）、底キャビネット３、フレーム４及び回路基板５等を備えている。底キャビネット３及びフレーム４は導電性を有している。フレーム４は、平面視においてコの字形に形成され、回路基板５の３辺を囲むように配置されている。
【０００３】
図２に示すように、従来の電子機器１では、回路基板５は、ビス６によってフレーム４に固定され、ビス６によってフレーム４と電気的に導通されている。また、図３に示すように、フレーム４は、ビス７によって底キャビネット３に固定され、ビス７によって底キャビネット３と電気的に導通されている。
【０００４】
上述のように、ビス６，７を中心軸が回路基板５に対して垂直になる方向に配置したアース構造は、従来から知られている（例えば、特許文献１及び２参照。）。
【特許文献１】特開昭６１−２５８７９７号公報
【特許文献２】実開昭５８−１５２７８０号公報
【発明の開示】
【発明が解決しようとする課題】
【０００５】
ところで、ＵＳＢ２．０などの規格に準拠した電子機器では、転送速度が高いため、回路基板５に搭載されたコネクタ毎に、各コネクタに隣接した位置でアース接続する必要がある。
【０００６】
しかし、ビス６，７を中心軸が回路基板５に対して垂直になる方向に配置した従来のアース構造では、回路基板上に多くの領域を要する。このため、コネクタ毎にビス止め等を行うための領域を設けることが困難であり、回路基板５に設けられたコネクタ毎にアース接続することができなかった。
【０００７】
この発明の目的は、占有領域を小さくすることによって所望の位置でアース接続することができる電子機器のアース構造を提供することにある。
【課題を解決するための手段】
【０００８】
この発明の電子機器のアース構造は、上述の課題を解決するために以下のように構成される。
【０００９】
（１）取付孔及び前記取付孔の周囲に設けられた導電性を有する薄膜を備えた回路基板と、前記回路基板の近傍に配置される導電性部材と、中心軸が前記回路基板の法線と直交する方向に前記取付孔に挿入されるコイル部、前記薄膜に当接される第１の端部及び前記導電性部材に圧接される第２の端部を備えた導電性を有する線材と、を備えることを特徴とする。
【００１０】
この構成においては、回路基板の薄膜と線材とが導通し、線材と導電性部材とが導通する。回路基板の取付孔に挿入され及び薄膜に当接されるのは線材であるため、回路基板上におけるアース構造の占有面積が小さくなる。
【００１１】
（２）前記線材はさらに弾性を有し、前記コイル部の外径は、前記取付孔の寸法より大きいことを特徴とする。
【００１２】
この構成においては、線材が弾性を有し、コイル部の外径が取付孔の寸法より大きいので、コイル部を取付孔に挿入するとコイル部と取付孔とが係合し、線材が回路基板上の線材の取り付け用の位置に保持される。
【００１３】
（３）前記線材は、前記コイル部と前記第２の端部との間に折り曲げ部を有することを特徴とする。
【００１４】
この構成においては、線材がコイル部と第２の端部との間に折り曲げ部を有するので、導電性部材が回路基板に対して垂直に配置されている場合に、第２の端部が容易に圧接される。
【発明の効果】
【００１５】
この発明によれば、以下の効果を奏することができる。
【００１６】
（１）回路基板上におけるアース構造の占有面積を小さくできるので、回路基板の所望の位置でアース接続することができる。したがって、ＵＳＢ２．０などの転送速度が高い規格に準拠した電子機器の回路基板に搭載されたコネクタ毎に、各コネクタに隣接した位置でアース接続することができる。
【００１７】
（２）コイル部と取付孔とを係合させて線材を回路基板上の線材の取り付け用の位置に保持することができるので、線材の第１の端部又はコイル部を薄膜に容易かつ確実にハンダ付け等によって接着することができる。
【００１８】
（３）線材のコイル部と第２の端部との間に折り曲げ部を設けることで、導電性部材が回路基板に対して垂直に配置されている場合に、第２の端部を導電性部材に容易に圧接させることができる。
【発明を実施するための最良の形態】
【００１９】
以下に、この発明の実施形態について図面に基づいて説明する。図４は、この発明の実施形態に係るアース構造が適用された電子機器１０の構成を示す斜視図である。図５は、電子機器１０の一部の構成を示す分解斜視図である。
【００２０】
電子機器１０は、例えば、携帯型ＭＤプレーヤや携帯型ハードディスクプレーヤなどの、音声信号を再生及び記録する携帯型の音声再生記録装置である。
【００２１】
電子機器１０は、上キャビネット１２、センターキャビネット１３、底キャビネット１４、フレーム１５及び回路基板１６などを備えている。上キャビネット１２、センターキャビネット１３及び底キャビネット１４は、電子機器１０の筐体１１を構成している。フレーム１５及び回路基板１６は、筐体１１内に収納されている。この実施形態では、フレーム１５がこの発明の導電性部材に相当する。
【００２２】
フレーム１５及び底キャビネット１４は、導電性を有する材料で形成されている。フレーム１５は、平面視において逆コの字形を呈するように２箇所で直角に折曲された板状部材であり、回路基板１６の３辺を囲むように配置されている。
【００２３】
フレーム１５は、ビス１７によって底キャビネット１４に固定され、ビス１７によって底キャビネット１４と電気的に導通されている。
【００２４】
また、フレーム１５は、水平方向に延出したビス締め部１８，１９（ビス締め部１９については図６参照）を有しており、回路基板１６は、ビス締め部１８，１９に対応した位置にビス孔２０，２１を有している。そして、ビス孔２０及びビス締め部１８を貫通するようにビス２２を締め付け、さらに、ビス孔２１及びビス締め部１９を貫通するようにビス２３を締め付けることで、回路基板１６がフレーム１５に固定されている。回路基板１６は、ビス２２，２３によってフレーム１５と電気的に導通されている。
【００２５】
図６は、電子機器１０の平面の断面図である。回路基板１６には、複数のコネクタ３１，３２，３３，３４及びその他の回路部品が搭載され、それぞれ回路基板１６にハンダ付けされている。コネクタ３１〜３４のそれぞれは、例えばＵＳＢ端子、ヘッドホン端子、マイク端子、信号入力端子及びクレードル端子等から選択された端子であり、回路基板１６の周縁部に配置されている。
【００２６】
回路基板１６にはさらに、コネクタ３１〜３４のそれぞれに対応する取付孔４１，４２，４３，４４が設けられている。取付孔４１〜４４はそれぞれ、対応するコネクタ３１〜３４との間に他の回路部品が介在しないように対応するコネクタ３１〜３４に隣接して設けられている。取付孔４１〜４４は、回路基板１６を貫通している。
【００２７】
図７は、電子機器１０の一部を示す側面の断面図であり、図８は、電子機器１０の一部を示す底面の断面図である。
【００２８】
回路基板１６の裏面の取付孔４１の周囲には、導電性を有するとともにハンダ付け可能であるランド５１（この発明の薄膜に相当する。）が設けられている。ランド５１は、対応するコネクタ３１のアース端子３１Ａに電気的に接続されている。具体的には、コネクタ３１のアース端子３１Ａは、回路基板１６を表面側から裏面側へ貫通し、ランド５１の一部にハンダ付けされている。同様に、回路基板１６の裏面の取付孔４２〜４４の周囲にも、導電性を有するとともにハンダ付け可能であるランドが設けられており、各ランドは対応するコネクタ３２〜３４のアース端子に電気的に接続されている。
【００２９】
取付孔４１には、バネ６０のコイル部６１が挿入されている。バネ６０は、この発明の線材に相当する。バネ６０は、導電性を有し、コイル部６１、第１の端部６２及び第２の端部６３を備えている。コイル部６１は、例えば一重の金属線からなり、中心軸方向の寸法が小さくされている。このため、バネ６０の回路基板１６上における占有面積は小さくなる。また、コイル部６１の外径は、取付孔４１の長手方向の寸法より若干大きくされている。バネ６０のコイル部６１は、コイル部６１の中心軸が回路基板１６の法線と直交する方向に、回路基板１６の裏面側から取付孔４１に挿入されている。
【００３０】
コイル部６１が取付孔４１に挿入されるとき、コイル部６１の直径が小さくなることでコイル部６１の中心軸が取付孔４１を通過し、中心軸が取付孔４１を通過した後にコイル部６１が元の直径に戻ろうとする弾性力によって、コイル部６１が取付孔４１と係合する。これによって、バネ６０は回路基板１６上のバネ６０の取り付け用の位置に保持される。
【００３１】
バネ６０の第１の端部６２は、ランド５１に当接しており、ランド５１にハンダ付けされている。なお、第１の端部６２に代えて又は第１の端部６２とともに、コイル部６１をランド５１にハンダ付けしてもよい。
【００３２】
コイル部６１と第２の端部６３との間には、折り曲げ部６４が設けられている。折り曲げ部６４は、９０度に近い鈍角に折り曲げられている。第２の端部６３は、回路基板１６に対して垂直方向に配置されたフレーム１５に、弾性力によって圧接している。
【００３３】
上述のようにして、コネクタ３１は、ランド５１及びバネ６０を介してフレーム１５に電気的に導通されている。この発明のアース構造は、回路基板１６、フレーム１５及びバネ６０などから構成されている。
【００３４】
取付孔４１の場合と同様に、取付孔４２〜４４にも、バネ６０と同様のバネのコイル部が挿入され、第１の端部がランドにハンダ付けされているとともに、第２の端部がフレーム１５に圧接している。これによって、コネクタ３２〜３４もそれぞれ、対応する取付孔４２〜４４に配置されたランド及びバネを介してフレーム１５に電気的に導通されている。
【００３５】
電子機器１０に適用されたアース構造によれば、アース構造の回路基板１６上における占有面積を小さくできるので、回路基板１６の所望の位置でアース接続することができる。したがって、ＵＳＢ２．０などの転送速度が高い規格に準拠した電子機器１０の回路基板１６に搭載されたコネクタ３１〜３４毎に、各コネクタ３１〜３４に隣接した位置でアース接続することができる。このため、各コネクタ３１〜３４から回路基板１６内に入ろうとする過電流及び静電気を、迅速かつ的確にフレーム１５及び底キャビネット１４に拡散でき、電子機器１０の誤動作及び損傷を防止することができる。
【００３６】
また、コイル部６１と取付孔４１とを係合させてバネ６０を回路基板１６上のバネ６０の取り付け用の位置に保持することができるので、バネ６０の第１の端部６２をランド５１に容易かつ確実にハンダ付け等によって接着することができる。他の取付孔４２〜４４に配置されるバネについても同様の効果を奏することができる。
【００３７】
さらに、バネ６０のコイル部６１と第２の端部６３との間に折り曲げ部６４を設けたことで、回路基板１６に対して垂直に配置されたフレーム１５に、第２の端部６３を容易に圧接させることができる。
【００３８】
なお、バネ６０の第２の端部６３が、フレーム１５ではなく底キャビネット１４に圧接するようにしてもよく、この際には例えば折り曲げ部６４が設けられない。この場合は、底キャビネット１４がこの発明の導電性部材に相当することになる。
【００３９】
また、コイル部６１は、上述の実施形態では一重の金属線からなっているが、バネ６０の占有面積が回路基板１６上において許容される限りにおいて、２重又は３重以上の螺旋形に形成されてもよい。取付孔４１〜４４は、バネ６０のコイル部６１の大きさに応じた大きさに形成される。
【図面の簡単な説明】
【００４０】
【図１】従来のアース構造が適用された電子機器の一部の構成を示す分解斜視図である。
【図２】従来の電子機器のアース構造を示す断面図である。
【図３】従来の電子機器のアース構造を示す断面図である。
【図４】この発明の実施形態に係るアース構造が適用された電子機器の構成を示す斜視図である。
【図５】前記電子機器の一部の構成を示す分解斜視図である。
【図６】前記電子機器の平面の断面図である。
【図７】前記電子機器の一部を示す側面の断面図である。
【図８】前記電子機器の一部を示す底面の断面図である。
【符号の説明】
【００４１】
１０  電子機器
１５  フレーム（導電性部材）
１６  回路基板
４１〜４４  取付孔
５１  ランド（薄膜）
６０  バネ（線材）
６１  コイル部
６２  第１の端部
６３  第２の端部
６４  折り曲げ部
【図１】
2006269083.tif 000003
【図２】
2006269083.tif 000004
【図３】
2006269083.tif 000005
【図４】
2006269083.tif 000006
【図５】
2006269083.tif 000007
【図６】
2006269083.tif 000008
【図７】
2006269083.tif 000009
【図８】
2006269083.tif 000010